(57)【要約】【課題】１以上の書込コイルの各々が各々のライタアセンブリ内で直列に巻かれているので、ＨＤＤの各々のライタアセンブリ内の書込コイルの各々に、書込電流を個々に調整することができない。【解決手段】別々のプリアンプ（４４０，４４２）を用いて、ライタアセンブリ内の少なくとも２つの書込コイル（４２８，４３０）を独立に駆動する方法が提供される。第１のプリアンプ（４４０）によって独立に駆動される第１の書込コイル（４２８）と、第２のプリアンプ（４４２）によって独立に駆動される第２の書込コイル（４３０）とを備えるライトアセンブリが提供される。【選択図】図４
2014123415.tif 000002
【特許請求の範囲】
【請求項１】
方法であって、
別々のプリアンプを用いて、ライタアセンブリ内の少なくとも２つの書込コイルを独立に駆動するステップを含む、方法。
【請求項２】
前記別々のプリアンプは、前記少なくとも２つの書込みコイルを、異なる電流強度、位相および極性のうちの１つ以上を用いて駆動する、請求項１に記載の方法。
【請求項３】
前記少なくとも２つの書込コイルは、組合せ書込磁場を発生させる個々の書込磁場を生成する、請求項１に記載の方法。
【請求項４】
前記組合せ書込磁場は、書込磁極およびリターン磁極を介して記憶媒体に向けられて、前記記憶媒体にデータを書き込む、請求項３に記載の方法。
【請求項５】
前記少なくとも２つの書込コイルは、前記書込磁極の両側に方向づけられる、請求項４に記載の方法。
【請求項６】
前記少なくとも２つの書込コイルの各々は、実質的に平坦な方向と、実質的にらせん形の方向とのうちの１つを有する、請求項１に記載の方法。
【請求項７】
前記書込コイルの少なくとも１つは、前記書込コイルの異なる巻線上に配置された少なくとも３つのボンディングパッドを利用する、請求項１に記載の方法。
【請求項８】
ライタアセンブリであって、
第１のプリアンプによって独立に駆動される第１の書込コイルと、
第２のプリアンプによって独立に駆動される第２の書込コイルとを備える、ライタアセンブリ。
【請求項９】
異なる電流強度、位相および極性のうちの１つ以上を用いて、前記第１のプリアンプは前記第１の書込コイルを駆動し、前記第２のプリアンプは前記第２の書込コイルを駆動する、請求項８に記載のライタアセンブリ。
【請求項１０】
前記第１の書込コイルと、前記第２の書込コイルとは、組合せ書込磁場を発生させる個々の書込磁場を発生させる、請求項８に記載のライタアセンブリ。
【請求項１１】
書込磁極と、
リターン磁極とをさらに備え、
前記組合せ書込磁場は、前記書込磁極と前記リターン磁極とを介して記憶媒体に向けられて、前記記憶媒体にデータを書き込む、請求項１０に記載のライタアセンブリ。
【請求項１２】
前記第１の書込コイルと前記第２の書込コイルとは、前記書込磁極の両側に方向づけられる、請求項１１に記載のライタアセンブリ。
【請求項１３】
前記第１の書込コイルと前記第２の書込コイルとの各々は、実質的に平坦な方向と、実質的にらせん形の方向とのうちの１つを有する、請求項８に記載のライタアセンブリ。
【請求項１４】
前記第１の書込コイルと前記第２の書込コイルとのうちの少なくとも１つは、前記書込コイルの異なる巻線上に配置された少なくとも３つのボンディングパッドを利用する、請求項８に記載のライタアセンブリ。
【請求項１５】
システムであって、
第１のプリアンプと第２のプリアンプとを含むプリント回路基板と、
ライタアセンブリとを備え、
前記ライタアセンブリは、前記第１のプリアンプによって独立に駆動される第１の書込コイルと、前記第２のプリアンプによって独立に駆動される第２の書込コイルとを備える、システム。
【請求項１６】
異なる電流強度、位相および極性のうちの１つ以上を用いて、前記第１のプリアンプは前記第１の書込コイルを駆動し、前記第２のプリアンプは前記第２の書込コイルを駆動する、請求項１５に記載のシステム。
【請求項１７】
前記第１の書込コイルと、前記第２の書込コイルとは、組合せ書込磁場を発生させる個々の書込磁場を生成する、請求項１５に記載のシステム。
【請求項１８】
前記ライタアセンブリは、書込磁極と、リターン磁極とをさらに含み、
前記組合せ書込磁場は、前記書込磁極と前記リターン磁極とを介して記憶媒体に向けられて、前記記憶媒体にデータを書き込む、請求項１７に記載のシステム。
【請求項１９】
前記第１の書込コイルと前記第２の書込コイルとの各々は、実質的に平坦な方向と、実質的にらせん形の方向とのうちの１つを有する、請求項１５に記載のシステム。
【請求項２０】
前記第１の書込コイルと前記第２の書込コイルとのうちの少なくとも１つは、前記書込コイルの異なる巻線上に配置された少なくとも３つのボンディングパッドを利用する、請求項１５に記載のシステム。
【発明の詳細な説明】
【技術分野】
【０００１】
本発明は、独立に駆動される書込コイルを用いる方法、ライタアセンブリおよびそれを備えるシステムに関する。
【背景技術】
【０００２】
背景
ハードディスクドライブ（すなわちＨＤＤ）は、ブロックベースのデータ記憶装置であり、ＨＤＤの１以上の回転プラッタ内の不揮発性メモリを用いてデジタル情報を記憶するとともに検索する。典型的なＨＤＤは、１以上のライタアセンブリ(writer assembly)を有し、ライタアセンブリは対応するプラッタ表面上を浮上して、電流を磁場に変換してＨＤＤのプラッタにデータを書込む。
【発明の概要】
【発明が解決しようとする課題】
【０００３】
プリアンプは、各々のライタアセンブリ内に直列に接続された１以上の書込コイルを通じて所望の電流を印加する。各々のライタアセンブリ内の書込コイルは、電流を磁場に変換して、その結果の磁束を書込磁極を通じて方向付けて、ＨＤＤのプラッタにデータを書込むように機能する。１以上の書込コイルの各々は、各々のライタアセンブリ内で直列に巻かれているので、ＨＤＤの各々のライタアセンブリ内の書込コイルの各々に、書込電流を個々に調整することができない。
【課題を解決するための手段】
【０００４】
概要
本明細書において説明されるとともに主張される実現例は、別々のプリアンプを用いてライタアセンブリ内の少なくとも２つの書込コイルを独立に駆動することによって、上記の問題を解決する。
【０００５】
本明細書において説明されるとともに主張される実現例は、第１のプリアンプによって独立に駆動される第１の書込コイルと、第２のプリアンプによって独立に駆動される第２の書込コイルとを備えるライタアセンブリを提供することによって上記の問題を解決する。
【０００６】
本明細書において説明されるとともに主張される実現例は、さらに、第１のプリアンプと第２のプリアンプとを含むプリント回路基板と、第１のプリアンプによって独立に駆動される第１の書込コイルと、第２のプリアンプによって独立に駆動される第２の書込コイルとを含むライタアセンブリとを備えるシステムを提供することによって上記の問題を解決する。
【０００７】
他の実現例がまた、本明細書において説明されるとともに記述される。
【図面の簡単な説明】
【０００８】
【図１】アクチュエータアームの遠位端に配置されて記憶媒体ディスク上に位置するスライダに実装された、２つの独立に駆動される書込コイルを含む、例示的なハードディスクドライブアセンブリを示す図である。
【図２】２つの独立に駆動される書込コイルを含むライタアセンブリの断面図である。
【図３】ライタアセンブリのための２つの独立に駆動される書込コイルの分解平面図である。
【図４】２つの独立に駆動される書込コイルを含むライタアセンブリのための例示的な回路図である。
【図５】２つの独立に駆動される書込コイルを含むライタアセンブリを用いるための例示的な動作を示す図である。
【発明を実施するための形態】
【０００９】
詳細な説明
図１は、例示的なハードディスクドライブ、すなわちＨＤＤアセンブリ１００を示す。ＨＤＤアセンブリ１００は、２つの独立に駆動される書込コイル１２８，１３０を含む。２つの書込コイル１２８，１３０はスライダ１２０に実装される。スライダ１２０は、アクチュエータアーム１１０の遠位端に配置されるとともに、記憶媒体ディスク（すなわちプラッタ）１０８上に位置する。具体的にはＡ図（ｘ−ｙ平面）を参照して、ディスク１０８は、外径１０２と内径１０４とを含み、それらの間には多数の、円形の点線で示された、実質的に円形のデータトラック（たとえばトラック１０６）がある。１つの実現例において、ディスク１０８は、情報がディスク１０８のデータトラックに書込まれ、および読出されるときに、ディスク回転軸１１２を中心として高速に回転する。さらに、ディスク回転速度は、固定でもよく、可変であってもよい。
【００１０】
情報は、アクチュエータアーム１１０の使用を通じてディスク１０８に書込まれるとともにディスク１０８から読出され得る。アクチュエータアーム１１０は、シーク動作の間にアクチュエータ回転軸１１４を中心として回転して、ディスク１０８の所望のデータトラックおよびセクタに位置付けられる。媒体ディスク１０８における具体的な配置は、任意の利用可能なアドレッシング機構によって定義することができる。例示的な機構は、シリンダヘッドセクタ（ＣＨＳ）アドレッシングおよびロジカルブロックアドレッシング（ＬＢＡ）機構を含む。アクチュエータアーム１１０は、ディスク１０８に向かって延在するとともに、スライダ１２０は、アクチュエータアーム１１０の遠位端に配置される。スライダ１２０は、ディスク１０８に対してデータを読み書きする間に、ディスク１０８に接近してディスク１０８上を飛行する。他の実現例において、ディスクドライブアセンブリ１００には、１以上のスライダ１２０、アクチュエータアーム１１０および／またはディスク１０８が存在する。
【００１１】
フレキシブルケーブル１２２は、動作の間にアクチュエータアーム１１０の旋回動作を可能にしながら、プリント回路基板（ＰＣＢ、ただし図示せず）からスライダ１２０に取付けられた電子部品（たとえば、読出素子１１６および書込コイル１２８，１３０）への必要な電気的接続経路を与える。フレキシブルケーブル１２２は、アクチュエータアーム１１０に沿って、ＰＣＢからスライダ１２０へと経路付けられてもよい。ＰＣＢは、書込動作の間に書込コイル１２８，１３０に印加される書込電流を制御するため、および、たとえば読出動作の間に読出素子１１６によって生成される読出信号を増幅するための回路（たとえばプリアンプ）を含んでもよい。書込コイル１２８，１３０の詳細は図２に示され、各々の書込コイルに対応するプリアンプの詳細は図４に示される。
【００１２】
図１のＢ図（ｘ−ｚ平面）は、スライダ１２０の側面の詳細を示し、スライダ１２０は、読出素子１１６と、書込コイル１２８，１３０と、書込磁極１１８と、リターン磁極１３２とを含み、それらのすべては、スライダ１２０のトレーリング端１２６の近くに配置される。他の微小電子部品もまた、トレーリング端１２６の近く、またはスライダ１２０の他の領域に配置されてもよい。スライダ１２０の外観およびアセンブリ１００の他の特徴は、例示の目的のみのものであり、縮尺通りには描かれていない。書込コイル１２８，１３０と、書込磁極１１８と、リターン磁極１３２とは、全体として、ライタアセンブリ１２４と呼ばれる。
【００１３】
ディスク１０８は、ディスク１０８内に組込まれた多数の独立した磁区を有し、ディスク１０８は、概して、Ｂ図におけるスライダ１２０に関して−ｘ方向に移動する。読出素子１１６は磁気抵抗性を有し（すなわち、読出素子１１６は抵抗値を有し、読出素子１１６の直下をディスク１０８の磁区が通過するにつれて、下にあるディスク１０８の磁場および磁区の極性に応じて抵抗値が変化する）、磁気抵抗は、読出素子１１６が下にあるディスク１０８からデータを読出すことを可能にする。
【００１４】
書込コイル１２８，１３０は、各々互いに独立に動作して、それぞれワイヤ対１３４，１３６を介してＰＣＢ上の専用のプリアンプ（図示せず）に電気的に接続される。書込コイル１２８，１３０の各々は、ワイヤ対１３４，１３６を介して対応するプリアンプから電流を受けて、その受けた電流を磁場に変換する。書込コイル１２８，１３０によって生成された累積（すなわち組合せ）磁場は、書込磁極１１８およびリターン磁極１３２を介して下のディスク１０８へと向けられる（矢印１３８によって示す）。ディスク１０８の磁区が書込磁極１１８の直下を通過するに従って、磁場は、磁区の磁気極性を変化させる。このことは、ライタアセンブリ１２４が下にあるディスク１０８にデータを書込むことを可能にする。
【００１５】
書込コイル１２８，１３０の各々に印加される電流を独立に変化させることによって、累積書込磁場は、特定の動作またはＨＤＤ構成に対して微調整することができる。より具体的には、累積書込磁場の角度、強度、勾配、オーバーシュート振幅、オーバーシュート期間および位相のうちの１以上が、書込コイル１２８，１３０の各々に印加される電流を独立に変化させることによって微調整することができる。書込コイル１２８，１３０の各々に印加される電流の微調整、図２を参照してより詳細に説明される。さらに、書込コイル１２８，１３０そのものの微調整が図２を参照してより詳細に説明される。
【００１６】
書込磁場の角度および強度は、スライダ１２０の空気軸受面を参照して、書込磁場のベクトルの方向および強度を指す。書込磁場の勾配は、ディスク１０８のデータトラックに沿った単位距離当たりの書込磁場の強度の変化率を指す。オーバーシュート振幅は、定常状態における書込電流の強度と比較した、書込コイル電流の極性の変化をともなう、書込電流の一時的な増大を指す。オーバーシュート期間は、一時的に増大する期間を指す。オーバーシュートは、ライタアセンブリ１２４の性能を改善して、ライタアセンブリ１２４の直下を通過する磁区の磁気極性を転換し得る。位相は、書込コイル１２８に印加される電流信号を、書込コイル１３０に印加される電流信号と比較したときの、波形の位相の差を指す。
【００１７】
ここに開示される技術は、図１に示されるディスクドライブサブアセンブリ１００以外の記憶ドライブアセンブリに適用することができる。さらに、ここに開示される技術は、ディスク１０８のような回転するディスク以外の平坦な表面にデータを書込むために用いることができる。
【００１８】
図２は、２つの独立に駆動される書込コイル２２８，２３０を含むライタアセンブリ２２４の断面図である。図２の断面図は、書込コイル２２８，２３０の中間で切断した図であり、書込コイル２２８，２３０は比較的平坦な（すなわちパンケーキ状の）コイルであり、各々は、概してｘ方向に向けられた軸の周りに巻かれている。書込コイル２２８，２３０は、実質的に３つの巻線を有するように示されるとともに、各々の巻線毎に、個々のワイヤの撚り線の束を含む。
【００１９】
他の実現例において、書込コイル２２８，２３０の各々の巻線は、単一のワイヤ撚り線を含む。さらに、書込コイル２２８，２３０の一方または両方は、書込コイル２２８，２３０の所望の性能特性に依存して、示されたような３つよりも多い、または少ない巻線を有していてもよい。他の実現例において、２つよりも多い、独立に駆動される書込コイルが存在する。さらに、図１−４に示された書込コイルは、比較的平坦なコイルであり、概してｘ方向に向けられた軸の周りに巻かれているが、他の実現例では、書込コイル２２８，２３０の一方または両方について螺旋形のコイルを用いてもよい。その場合には、コイルは概してｚ方向に向けられた軸の周りに巻かれ得る。
【００２０】
書込コイル２２８，２３０は、書込磁極２１８の両側に方向付けられるとともに、累積（すなわち組合せ）書込磁場ベクトル（矢印２３８によって示す）を発生させ、書込磁場ベクトルは、書込磁極２１８を介して、下にあるディスク２０８へと向けられるとともに、リターン磁極２３２を介してライタアセンブリ２２４へと戻る。書込コイル２２８，２３０を通じて駆動される電流は、磁場を生成し、その磁場はディスク２０８の磁区が書込磁極２１８の直下を通過するに従って、ディスク２０８の磁区の磁気極性を変化させる。これは、ライタアセンブリ２２４がディスク２０８にデータを書込むことを可能にする。ライタアセンブリ２２４内の書込コイル２２８，２３０の各々の相対的な方向付けは、所望の性能特性に依存して代わり得る。
【００２１】
累積書込磁場ベクトル（矢印２３８によって示す）は、−ｘ方向成分を有するように示される。このことは、電流の強度、方向および／または位相が、（書込磁極２１８および書込シールド（図示せず）を含む）ライタアセンブリ２２４の幾何学的特性と組合わさり、それにより、書込コイル２２８の出力磁束が書込コイル２３０の出力磁束を上回るということを示唆している。他の実現例において、書込コイル２３０の出力磁束は、書込コイル２２８の出力磁束を上回り、そのことは、累積書込磁場を変化させて、正のｘ方向成分を有するであろう。
【００２２】
書込コイル２２８，２３０は、互いに独立に動作する。より具体的には、書込コイル２２８は、ワイヤ２３４，２３５を介してプリアンプ２４０に接続される。プリアンプ２４０は、特定の（すなわち所定の）電流を書込コイル２２８に印加して、書込コイル２２８から所望の書込磁場を発生させる。同様に、書込コイル２３０は、ワイヤ２３６，２３７を介してプリアンプ２４２に接続される。プリアンプ２４２は、特定の電流を書込コイル２３０に印加して、書込コイル２３０から所望の書込磁場を発生させる。書込コイル２２８，２３０の各々によって発生した書込磁場は、組合さって、所望の組合せ磁場ベクトル（矢印２３８によって示す）を発生させる。
【００２３】
プリアンプ２４０，２４２の各々は、特定の極性を有する電流を生成するように示されているが、他の実現例において、プリアンプ２４０，２４２の一方または両方は、反対の極性を有する電流を発生させる。さらに別の実現例において、プリアンプ２４０，２４２の各々によって生成される電流の強度、極性および／または相対的な位相は、時間により変化し得る。
【００２４】
書込コイル２２８，２３０の各々に印加される電流を独立に変化させることによって、累積書込磁場は、特定の動作またはＨＤＤ構成に対して微調整することができる。より具合的には、累積書込磁場の角度、強度、勾配、オーバーシュート振幅、オーバーシュート期間および位相の１以上が、書込コイル２２８，２３０の各々に印加される電流を独立に変化させることによって微調整することができる。
【００２５】
１つの実現例において、書込コイル２２８に約５０ミリアンペアの電流を印加し、書込コイル２３０に約３０ミリアンペアの電流を印加（逆でもよい）することによって、約４０ミリアンペアの電流を書込コイル２２８，２３０の各々に印加する場合に比べて優れた性能を得ることができる。これは、直列に電気的に接続された従来の書込コイルでも達成可能であるだろう。この例示的な実現例は、書込コイル２２８，２３０の各々における全コイル巻数に８０ミリアンペアを掛けた全起磁力（magnetomotive force;ＭＭＦ）が変化しないと仮定しているが、他の実現例は、ＭＭＦを変化させて所望の性能特性を達成してもよい。
【００２６】
図３は、ライタアセンブリ（図示せず）の２つの独立に駆動される書込コイル３２８，３３０の分解平面図である。書込コイル３２８，３３０の各々は、比較的平坦な（すなわちパンケーキ状の）コイルであり、概してｘ方向に向けられた軸の周りに巻かれている。書込コイル３２８，３３０は、実質的に３つの巻線を有し、最も内側および最も外側の巻線の端に電気的コンタクトパッド３４４，３４６，３４８，３５０を有するものとして示される。より具体的には、書込コイル３２８は、最も外側の巻線において電気的コンタクトパッド３４４を含み、最も内側の巻線に電気的コンタクトパッド３４６を含む。同様に、書込コイル３３０は、最も外側の巻線に電気的コンタクトパッド３４８を含み、最も内側の巻線に電気的コンタクトパッド３５０を含む。他の実現例において、書込コイル３２８，３３０の一方または両方は、書込コイル３２８，３３０の所望の性能特性に依存して、３つよりも多いまたは少ない巻線を有していてもよい。他の実現例において、２つよりも多い、独立に駆動される書込コイルがあってもよい。
【００２７】
示された実現例において、書込コイル３２８，３３０は、ｙ−ｚ平面において互いに積層され（矢印３５２によって示す）、書込コイル３２８は、組立の方向から示した場合には、書込コイル３３０によって隠される。他の実現例において、書込コイル３２８，３３０は、互いに関して別の方向にあり、所望の性能特性を達成するために、さまざまな方向に最適化することができる。
【００２８】
書込コイル３２８，３３０は、互いに独立に動作する。より具体的には、書込コイル３２８は、ワイヤ３３４，３３５を介してプリアンプ３４０に接続される。プリアンプ３４０は、特定の（すなわち所定の）電流を書込コイル３２８に印加して、書込コイル３２８から所望の書込磁場を発生させる。同様に、書込コイル３３０は、ワイヤ３３６，３３７を介してプリアンプ３４２に接続される。プリアンプ３４２は、特定の（すなわち所定の）電流を書込コイル３３０に印加して、書込コイル３３０から所望の書込磁場を発生させる。書込コイル３２８，３３０の各々によって発生した書込磁場は、組合さって、所望の組合書込磁場（図示せず）を発生させる。
【００２９】
書込コイル３２８，３３０と、コンタクトパッド３４４，３４６，３４８，３５０と、ワイヤ３３４，３３５，３３６，３３７は、任意の利用可能な、導電性を有する金属または合金（たとえば、銅および金の合金）から構成することができる。さらに、プリアンプ３４０，３４２の各々は、特定の極性を有する電流を発生させるように示されているが、他の実現例において、プリアンプ３４０，３４２の一方または両方は、反対の極性を有する電流を発生させる。さらに別の実現例において、プリアンプ３４０，３４２の各々によって発生した電流の強度、相対的位相および／または極性は、時間で変化する。
【００３０】
書込コイル３２８，３３０の各々に印加される電流を独立に変化させることによって、累積書込磁場を、特定の動作またはＨＤＤ構成に対して微調整することができる。より具体的には、累積書込磁場の角度、強度、勾配、オーバーシュート振幅、オーバーシュート期間および位相の１以上を、書込コイル３２８，３３０の各々に印加される電流を独立に変化させることによって微調整することができる。
【００３１】
別の実現例において、書込コイル３２８，３３０の各々の中の異なる巻線に配置された、補充ボンディングパッドが存在してもよい。たとえば、書込コイル３２８，３３０の各々は、第２の巻線に配置された補充ボンディングパッドを有していてもよい。これは使用のために選択されたボンディングパッドの対に依存して、書込コイル３２８，３３０の各々の３つすべての巻線、２つの巻線、または１つの巻線と関係する柔軟性を与える。選択されたボンディングパッドは、対応する記憶ドライブの動作中に変化して、その記憶ドライブの性能特性を最適化し得る。
【００３２】
図４は、２つの独立に駆動される書込コイル４２８，４３０を含むライタアセンブリ４２４の場合の例示的な回路図４００を示す。回路図４００は、プリント回路基板（ＰＣＢ）４５４に電気的に接続されたスライダ４２０を含む。スライダ４２０は、読出素子４１６とライタアセンブリ４２４とを含み、ライタアセンブリ４２４は、さらに、書込コイル４２８，４３０と、書込磁極４２８とリターン磁極４３２とを含む。スライダ４２０は、読出素子４１６を使用してデータが記憶媒体から読出される場合、およびライタアセンブリ４２４を使用してデータを記憶媒体に書込む場合に、記憶媒体に接近し、かつ記憶媒体上を飛行する。
【００３３】
ＰＣＢ４５４は、読出ドライバ４５６とプリアンプ４４０，４４２とを含み、プリアンプ４４０，４４２はそれぞれ書込コイル４２８，４３０を駆動する。読出ドライバ４５６は、読出素子４１６から受けた読出信号を処理して、その読出信号を読出チャネルに送る。プリアンプ４４０，４４２は入ってきた書込データを処理して、電気信号を書込コイル４２８，４３０に出力するが、その電気信号は書込データに対応する。書込コイル４２８，４３０は、組合せ磁場を生成し、組合せ磁場は、書込磁極４１８とリターン磁極４３２とを介して記憶媒体に向けられる。組合せ磁場は、記憶媒体における磁区の極性を選択的に切換えて、書込データを記憶媒体に書込む。
【００３４】
図５は、２つの独立に駆動される書込コイルを含むライタアセンブリを用いた例示的な動作５００を示す。第１の駆動動作５０５は、第１の電流で第１の書込コイルを駆動する。１つの実現例において、回路基板における第１のプリアンプは第１の電流を発生させる。第２のドライブ動作５１０は、第２の電流で第２の書込コイルを駆動する。１つの実現例において、回路基板における第２のプリアンプは第２の電流を発生させる。
【００３５】
生成動作５１５は、第１の書込コイルおよび第２の書込コイルから組合せ書込磁場を発生させる。より具体的には、第１の書込コイルは、第１のプリアンプからの電流を第１の書込磁場へと変換する。第２の書込コイルは、第２のプリアンプからの電流を第２の書込磁場へと変換する。第１の書込磁場と第２の書込磁場とは、組合さって、組合せ書込磁場となる。組合せ書込磁場は、記憶媒体における選択された磁区の極性を変化させることによって記憶媒体にデータを書込むために用いられる。
【００３６】
１つの実現例において、独立に駆動される書込コイルを有するライタアセンブリは、量産の記憶ドライブに用いられて、記憶ドライブ内の記憶媒体に選択的にデータを書込む。たとえば、各々の書込コイルのＭＭＦは、個々の量産記憶ドライブの発注時に調整されて、特定のアプリケーションのための性能の最大化、および／またはドライブの製造におけるばらつきの補償を達成する。さらに、性能は、記憶ドライブ内の特定のヘッド（たとえばヘッド１、ヘッド２など）および位置（たとえば内径プラッタの近く、または外径プラッタの近くの配置）に依存して大きく異なり得る。ライタアセンブリの書込性能のリアルタイムでの最適化のために、特定のヘッドおよびその電流位置に依存した各々の書込コイルについてのＭＭＦの値を含むルックアップテーブルを用いてもよい。
【００３７】
他の実現例において、独立に駆動される書込コイルを有するライタアセンブリは、量産の記憶ドライブのためのさまざまな記憶ドライブヘッド、媒体およびヘッドと媒体の組合せを構成するための計測装置として用いる。独立に駆動される書込コイルを有する計測装置のライタアセンブリは、書込コイルの入力パラメータを時間で変化させて、どのような構成が最良の性能を達成できるかを決定するために用いられることができる。他のライタアセンブリは、計測ライタアセンブリによって達成されるのと同様の最適書込磁場を達成するために設計されることができる。
【００３８】
本明細書で説明される発明の実施の形態は、１以上のコンピュータシステムにおける論理的ステップとして実現される。本発明の論理動作は、（１）１以上のコンピュータシステムにおいて実現されるプロセッサにより実現されるステップのシーケンスとして、および（２）１以上のコンピュータシステム内の相互接続された機械または回路として実現される。そのような実現例は、選択的事項であり、本発明を実現するコンピュータシステムの性能の要求に依存する。したがって、本明細書で説明される本発明の実施の形態を構築する論理動作は、動作、ステップ、オブジェクトまたはモジュールとしてさまざまな参照される。さらに、論理動作は、任意の順番、所望の追加または省略された動作で実現されることができ、厳密に主張されていなければ、特定の順番は請求項の記載において本質的には必要ではないということが理解されるべきである。
【００３９】
上記の明細書、実施例およびデータは、本発明の例示的な実施の形態の構造および使用の完全な記述を与える。本発明の多くの実施の形態は、本発明の精神および範囲から逸脱することなく実現可能であるので、本発明は、次の請求項によって定められる。さらに、異なる実施の形態の構造的な特徴は、記載された請求項から逸脱することなくさらに別の実施の形態と組合せることができる。
【符号の説明】
【００４０】
１００  ディスクドライブアセンブリ、１０２  外径、１０４  内径、１０６  トラック、１０８  ディスク、１１０  アクチュエータアーム、１１２  ディスク回転軸、１１４  アクチュエータ回転軸、１１６，４１６  読出素子、１１８，２１８，４１８，４２８  書込磁極、１２０，４２０  スライダ、１２２  フレキシブルケーブル、１２４，２２４，４２４  ライタアセンブリ、１２６  トレーリング端、１２８，１３０，２２８，２３０，３２８，３３０，４２８，４３０  書込コイル、１３２，２３２，４３２  リターン磁極、１３４，１３６  ワイヤ対、２３４，２３５，２３６，２３７，３３４，３３５，３３６，３３７  ワイヤ、２４０，２４２，３４０，３４２，４４０，４４２  プリアンプ、３４４，３４６，３４８，３５０  電気的コンタクトパッド、４００  回路図、４５６  読出ドライバ、５００  動作、５０５  第１の駆動動作、５１０  第２のドライブ動作、５１５  生成動作。
【図１】
2014123415.tif 000003
【図２】
2014123415.tif 000004
【図３】
2014123415.tif 000005
【図４】
2014123415.tif 000006
【図５】
2014123415.tif 000007
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
ライタアセンブリであって、
第１のプリアンプによって独立に駆動される第１の書込コイルと、
第２のプリアンプによって独立に駆動される第２の書込コイルとを備える、ライタアセンブリ。
【請求項２】
異なる電流強度、位相および極性のうちの１つ以上を用いて、前記第１のプリアンプは前記第１の書込コイルを駆動し、前記第２のプリアンプは前記第２の書込コイルを駆動する、請求項１に記載のライタアセンブリ。
【請求項３】
前記第１の書込コイルと、前記第２の書込コイルとは、組合せ書込磁場を発生させる個々の書込磁場を発生させる、請求項１に記載のライタアセンブリ。
【請求項４】
書込磁極と、
リターン磁極とをさらに備え、
前記組合せ書込磁場は、前記書込磁極と前記リターン磁極とを介して記憶媒体に向けられて、前記記憶媒体にデータを書き込む、請求項３に記載のライタアセンブリ。
【請求項５】
前記第１の書込コイルと前記第２の書込コイルとは、前記書込磁極の両側に方向づけられる、請求項４に記載のライタアセンブリ。
【請求項６】
前記第１の書込コイルと前記第２の書込コイルとの各々は、実質的に平坦な方向と、実質的にらせん形の方向とのうちの１つを有する、請求項１に記載のライタアセンブリ。
【請求項７】
前記第１の書込コイルと前記第２の書込コイルとのうちの少なくとも１つは、前記書込コイルの異なる巻線上に配置された少なくとも３つのボンディングパッドを利用する、請求項１に記載のライタアセンブリ。
【請求項８】
システムであって、
第１のプリアンプと第２のプリアンプとを含むプリント回路基板と、
ライタアセンブリとを備え、
前記ライタアセンブリは、前記第１のプリアンプによって独立に駆動される第１の書込コイルと、前記第２のプリアンプによって独立に駆動される第２の書込コイルとを備える、システム。
【請求項９】
方法であって、
別々のプリアンプを用いて、ライタアセンブリ内の少なくとも２つの書込コイルを独立に駆動するステップを含む、方法。